(57)【要約】【課題】相手パネルに対する取付部材の取り付けに必要な保持荷重を得つつ、高い斜め保持荷重や低い斜め保持荷重を得ることができるクリップを提供すること。【解決手段】クリップ１は、相手パネルの取付孔に挿入したクリップ本体１０の係止脚１６の係止部１６ａが取付孔の縁に係止することで、このクリップ本体１０に装着した取付部材を相手パネルに対して着脱可能となっている。係止部１６ａには、クリップ本体１０に作用する斜め抜去荷重に対する保持力を増加または減少させる係止面１６ｂが形成されている。【選択図】図２
2018105499.tif 000002
【特許請求の範囲】
【請求項１】
相手パネルの取付孔に挿入したクリップ本体の係止脚の係止部が取付孔の縁に係止することで、このクリップ本体に装着した取付部材を相手パネルに対して着脱可能なクリップであって、
係止部には、クリップ本体に作用する斜め抜去荷重に対する保持力を増加または減少させる係止面が形成されているクリップ。
【請求項２】
請求項１に記載のクリップであって、
クリップ本体に作用する斜め抜去荷重に対する保持力の増加または減少は、クリップ本体に対して斜め抜去荷重が作用したときのクリップ本体の軸方向に対する係止部の係止面の傾斜角度を変更することで設定可能となっているクリップ。
【請求項３】
請求項１〜２のいずれかに記載のクリップであって、
係止面は、係止脚の係止部が取付孔の縁に係止した状態において、クリップ本体に作用する垂直抜去荷重に対する保持力が最大になるとき、係止部の幅の全てが取付孔の縁に干渉するように形成されているクリップ。
【請求項４】
請求項３に記載のクリップであって、
係止部には、係止面を形成するための逃がし面が隣り合うように形成されており、
係止面と逃がし面とは、略三角形状を成すようにそれぞれ形成されており、
係止脚の外縁は、係止面を形成する略三角形状の一辺と、逃がし面を形成する略三角形状の一辺と、を兼ねるように形成されているクリップ。
【発明の詳細な説明】
【技術分野】
【０００１】
本発明は、クリップに関し、詳しくは、相手パネルの取付孔に挿入したクリップ本体の係止脚の係止部が取付孔の縁に係止することで、このクリップ本体に装着した取付部材を相手パネルに対して着脱可能なクリップに関する。
【背景技術】
【０００２】
この種のクリップとして、例えば、特許文献１に示される技術が既に知られている（図２８〜３１参照）。この技術は、例えば、自動車のコンソールボックスのボックス本体（相手パネル）４０３に対する側面パネル（取付部材）４０２の取り付けに適用可能なクリップ４０１である。このクリップ４０１のクリップ本体４１０は、側面パネル（取付部材）４０２のクリップ取付座４２２のリブ４２４に形成されている係合孔４２４ａを介してリブ４２４に装着可能な挟持爪４１４ａを有する一対の内脚４１４と、この一対の内脚４１４の外側に弾性変形可能に形成されている一対の外脚４１６とから剛性を有する合成樹脂によって一体的に構成されている。そして、側面パネル４０２のクリップ取付座４２２のリブ４２４に装着したクリップ本体４１０をコンソールボックスのボックス本体（相手パネル）４０３の取付孔４３０に挿入することで、このコンソールボックスのボックス本体４０３に側面パネル４０２を取り付けることができる（図３２〜３３参照）。すなわち、側面パネル４０２の取り付けに必要な保持荷重（垂直保持荷重）をクリップ４０１によって得ることができる。また、この取付孔４３０に挿入したクリップ本体４１０を垂直保持荷重に抗して引き抜く（クリップ本体４１０に抜去荷重を作用させる）ことで、このコンソールボックスのボックス本体４０３から側面パネル４０２を取り外すことができる。このようにして、コンソールボックスのボックス本体４０３に対して側面パネル４０２を着脱できる。
【先行技術文献】
【特許文献】
【０００３】
【特許文献１】特開２０１３−４４３９１号公報
【発明の概要】
【発明が解決しようとする課題】
【０００４】
しかしながら、上述した従来技術では、コンソールボックスのボックス本体４０３に対して側面パネル４０２の縁が張り出していることがあるため、例えば、この張り出した縁に対する乗員の意図せぬ手つき荷重等によって側面パネル４０２がボックス本体４０３から取り外されることがないように、クリップ４０１に対して高い斜め保持荷重が求められることがあった。なお、この従来技術では、例えば、クリップ本体４１０に対して斜め抜去荷重が作用したとき、ボックス本体４０３の取付孔４３０の縁に係止する係止部４１６ａの傾斜角度（クリップ本体４１０の軸方向（長手方向）に対する係止部４１６ａの傾斜角度）は、例えば、約４５°となっている（図３４〜３５参照）。これとは異なり、例えば、インストルメントパネル（相手パネル）に対するセンタークラスタ（取付部材）の取り付けにクリップ４０１を適用した場合、取り付けに必要な保持荷重（垂直保持荷重）を得つつ、メンテナンス等でセンタークラスタの取り外しが要求されることもあるため、クリップ４０１に対して低い斜め保持荷重が求められることがあった。
【０００５】
本発明は、このような課題を解決しようとするもので、その目的は、相手パネルに対する取付部材の取り付けに必要な保持荷重を得つつ、高い斜め保持荷重や低い斜め保持荷重を得ることができるクリップを提供することである。
【課題を解決するための手段】
【０００６】
本発明は、上記の目的を達成するためのものであって、以下のように構成されている。
請求項１に記載の発明は、相手パネルの取付孔に挿入したクリップ本体の係止脚の係止部が取付孔の縁に係止することで、このクリップ本体に装着した取付部材を相手パネルに対して着脱可能なクリップである。係止部には、クリップ本体に作用する斜め抜去荷重に対する保持力を増加または減少させる係止面が形成されている。
【０００７】
請求項１の発明によれば、従来技術と同様に、クリップを介して相手パネルに取付部材を取り付けたり取り外したりできる（着脱できる）。すなわち、従来技術と同様に、取付部材の取り付けに必要な保持荷重を得ることができる。また、請求項１の発明によれば、斜め抜去荷重に対する保持力を増加させるように係止面を形成すると、クリップを介して相手パネルに取付部材を取り付けた状態において、斜め抜去荷重が作用した取付部材を相手パネルから取り外し難くできる。したがって、従来技術よりクリップの斜め保持荷重を高くできる（高い斜め保持荷重を得ることができる）。また、これとは異なり、斜め抜去荷重に対する保持力を減少させるように係止面を形成すると、クリップを介して相手パネルに取付部材を取り付けた状態において、斜め抜去荷重が作用した取付部材を相手パネルから取り外し易くできる。したがって、従来技術よりクリップの斜め保持荷重を低くできる（低い斜め保持荷重を得ることができる）。
【０００８】
また、請求項２に記載の発明は、請求項１に記載のクリップであって、クリップ本体に作用する斜め抜去荷重に対する保持力の増加または減少は、クリップ本体に対して斜め抜去荷重が作用したときのクリップ本体の軸方向に対する係止部の係止面の傾斜角度を変更することで設定可能となっている。
【０００９】
請求項２の発明によれば、クリップ本体に対して斜め抜去荷重が作用したとき、相手パネルの取付孔の縁に係止する係止部の係止面の傾斜角度（クリップ本体の軸方向（長手方向）に対する係止部の係止面の傾斜角度）を急なもの（例えば、約７０°）にすると、従来技術よりクリップの斜め保持荷重を高くできる（高い斜め保持荷重を得ることができる）。これとは逆に、クリップ本体に対して斜め抜去荷重が作用したとき、相手パネルの取付孔の縁に係止する係止部の係止面の傾斜角度（クリップ本体の軸方向（長手方向）に対する係止部の係止面の傾斜角度）を緩やかなもの（例えば、約３５°）にすると、従来技術よりクリップの斜め保持荷重を低くできる（低い斜め保持荷重を得ることができる）。したがって、傾斜角度を調節することによって、必要とする斜め保持荷重を得ることができる。
【００１０】
また、請求項３に記載の発明は、請求項１〜２のいずれかに記載のクリップであって、係止面は、係止脚の係止部が取付孔の縁に係止した状態において、クリップ本体に作用する垂直抜去荷重に対する保持力が最大になるとき、係止部の幅の全てが取付孔の縁に干渉するように形成されている。
【００１１】
請求項３の発明によれば、請求項１〜２と同様の作用効果を得ることができる。また、クリップ本体に作用する垂直抜去荷重に対する保持力が最大になるときでも、相手パネルの取付孔の縁に生じるダメージを抑えることができる。
【００１２】
また、請求項４に記載の発明は、請求項３に記載のクリップであって、係止部には、係止面を形成するための逃がし面が隣り合うように形成されている。係止面と逃がし面とは、略三角形状を成すようにそれぞれ形成されている。係止脚の外縁は、係止面を形成する略三角形状の一辺と、逃がし面を形成する略三角形状の一辺とを兼ねるように形成されている。
【００１３】
請求項４の発明によれば、請求項１の発明と比較すると、係止面の面積を広く設定できる。したがって、相手パネルの取付孔の縁に対する掛かり代を広く確保できる。
【図面の簡単な説明】
【００１４】
【図１】実施例１に係るクリップをセンタークラスタとインストルメントパネルと共に示した斜視図である。
【図２】図１のクリップの拡大図である。
【図３】図２の正面図である。
【図４】図２の右側面図である。
【図５】図２の主要部を下から見た拡大図である。
【図６】図２のクリップの使用状態における右側面図である。
【図７】図６のＡ−Ａ線断面図であり、左半分を省略した状態で示している。
【図８】図６において、斜め抜去荷重が作用した状態を示す図である。
【図９】図８のＢ−Ｂ線断面図であり、左半分を省略した状態で示している。
【図１０】実施例２に係るクリップの全体斜視図である。
【図１１】図１０の正面図である。
【図１２】図１０の右側面図である。
【図１３】図１０の主要部を下から見た拡大図である。
【図１４】図１０のクリップの使用状態における右側面図である。
【図１５】図１４のＣ−Ｃ線断面図であり、左半分を省略した状態で示している。
【図１６】図１４において、斜め抜去荷重が作用した状態を示す図である。
【図１７】図１６のＤ−Ｄ線断面図であり、左半分を省略した状態で示している。
【図１８】実施例３に係るクリップの全体斜視図である。
【図１９】図１８の正面図である。
【図２０】図１８の右側面図である。
【図２１】図１８の主要部を下から見た拡大図である。
【図２２】図１８のクリップの使用状態における右側面図である。
【図２３】図１８のクリップの垂直抜去荷重の特性を示す図である。
【図２４】変形例に係るクリップの全体斜視図である。
【図２５】図２４の正面図である。
【図２６】図２４の右側面図である。
【図２７】図２４の主要部を下から見た拡大図である。
【図２８】従来技術に係るクリップの全体斜視図である。
【図２９】図２８の正面図である。
【図３０】図２８の右側面図である。
【図３１】図２８の主要部を下から見た拡大図である。
【図３２】図２８のクリップの使用状態における右側面図である。
【図３３】図３２のＥ−Ｅ線断面図であり、左半分を省略した状態で示している。
【図３４】図３２において、斜め抜去荷重が作用した状態を示す図である。
【図３５】図３４のＦ−Ｆ線断面図であり、左半分を省略した状態で示している。
【発明を実施するための形態】
【００１５】
以下、本発明を実施するための形態を、図面を用いて説明する。
（実施例１）
まず、本発明の実施例１を、図１〜９を用いて説明する。なお、以下の説明にあたって、『相手パネル』の例として、『コンソールボックスのボックス本体３』を説明することとする。また、『取付部材』の例として、『側面パネル２』を説明することとする。これらのことは、後述する実施例２〜３および変形例においても同様である。
【００１６】
はじめに、図１〜５、８〜９を参照して、実施例１に係るクリップ１と側面パネル２とを個別に説明する。なお、コンソールボックスのボックス本体３は、公知のものでよいため、説明を省略することとする。まず、クリップ１から説明する（図２〜５参照）。クリップ１は、主として、湾曲して形成された頭部１２と、この頭部１２から連続する一対の内脚１４と、この頭部１２から連続する一対の外脚１６とから剛性を有する合成樹脂によって一体的に構成されている。
【００１７】
頭部１２は、ボックス本体３の取付孔３０に対してクリップ本体１０を挿入するときの先行案内部となっている。そのため、この頭部１２は、図２からも明らかなように、外周面に丸みを帯びた湾曲形状を成している。
【００１８】
一対の内脚１４は、後述する側面パネル２のリブ２４の板厚と同じか若しくは僅かに狭い間隔をもって対向するように構成されている（図３参照）。この一対の内脚１４は、既に説明したように、頭部１２から連続する格好を成すように形成されている。また、この一対の内脚１４は、自身１４の間にリブ２４を挿入することで、このリブ２４に装着可能となっている。この一対の内脚１４における長手方向の途中の上寄りの各内面には、後述する側面パネル２のリブ２４の係合孔２４ａの縁（先端側の縁）に係合可能な挟持爪１４ａが形成されている。これにより、一対の内脚１４のリブ２４に対する装着を強固にできる。
【００１９】
一対の外脚１６は、一対の内脚１４の外側に弾性変形可能に形成されている。この一対の外脚１６も、既に説明したように、頭部１２から連続する格好を成すように形成されている。すなわち、これら内脚１４と外脚１６とは、正面視において、パンタグラフ状に形成されている（図３参照）。なお、この弾性変形は、クリップ本体１０をボックス本体３の取付孔３０に挿入することで一対の外脚１６の間隔が狭まるように設定されている。この一対の外脚１６における長手方向の途中の下寄りの外面には、後述するボックス本体３の取付孔３０の縁に係止可能な係止部１６ａが形成されている。
【００２０】
また、この係止部１６ａの外縁には、クリップ本体１０に作用する斜め抜去荷重に対する保持力を従来技術のそれより増加させる係止面１６ｂが形成されている（図２〜５参照）。また、この係止部１６ａの外縁には、係止面１６ｂに隣り合うように逃がし面１６ｃが形成されている。このように逃がし面１６ｃを形成することにより、係止面１６ｂを形成できる。なお、これら係止面１６ｂと逃がし面１６ｃとは、略三角形状を成すようにそれぞれ形成されている。この逃がし面１６ｃは、係止面１６ｂに対して対向するように形成されている（図５参照）。
【００２１】
なお、クリップ本体１０に対して斜め抜去荷重が作用したとき、ボックス本体３の取付孔３０の縁に係止する係止部１６ａの係止面１６ｂの傾斜角度（クリップ本体１０の軸方向（長手方向）に対する係止部１６ａの係止面１６ｂの傾斜角度）は、例えば、約７０°となっており、急なものとなっている（図８〜９参照）。クリップ１は、このように構成されている。
【００２２】
次に、図１に戻って、側面パネル２を説明する。側面パネル２は、ボックス本体３の側面部分を覆うように取り付けられる意匠パネルである。この側面パネル２は、その意匠面を有する側面パネル本体２０と、この側面パネル本体２０の内面（反意匠面）の適宜の箇所に単数もしくは複数形成されたクリップ取付座２２とから剛性を有する合成樹脂によって一体的に構成されている。
【００２３】
このクリップ取付座２２は、係合孔２４ａを有するリブ２４と、このリブ２４へのクリップ本体１０の一対の内脚１４の装着を案内する一対のガイド２６とから構成されている。このリブ２４の係合孔２４ａは、既に説明したように、その上縁に一対の挟持爪１４ａを挟持可能に形成されている。また、リブ２４の先端面は、このリブ２４を一対の内脚１４の間に円滑に挿入できるように、傾斜面となっている。一方、このガイド２６は、張出縁２６ａを有する略凸字を成すように形成されている。側面パネル２は、このように構成されている。
【００２４】
続いて、上述したクリップ１を用いて、コンソールボックスのボックス本体３に側面パネル２を取り付ける手順を説明する。まず、クリップ本体１０の一対の内脚１４の間に側面パネル２のクリップ取付座２２のリブ２４を相対的に挟み込む。すると、この一対の内脚１４によってリブ２４が両側から挟み込まれた状態となり、これと同時に、両挟持爪１４ａがリブ２４の係合孔２４ａの上縁を挟持する。これにより、クリップ本体１０がリブ２４に装着される。
【００２５】
次に、リブ２４に装着されたクリップ本体１０を、その頭部１２の側からボックス本体３の取付孔３０に挿入していく。すると、一対の外脚１６は、互い１６が弾性によって近づく方向に撓みながら取付孔３０を通過していく。やがて、クリップ取付座２２の張出縁２６ａがボックス本体３の表面３ａに接触すると、一対の外脚１６の両係止部１６ａはボックス本体３の裏面（内面）３ｂに位置することとなる（図６〜７参照）。
【００２６】
このとき、一対の外脚１６は、互い１６が内方へ向けて弾性変形しているため、この撓みの反力によって一対の外脚１６の両係止部１６ａはボックス本体３の取付孔３０の縁に押し付けられている。これにより、クリップ本体１０はボックス本体３に取り付けられた状態で保持され、結果として、側面パネル２がコンソールボックスのボックス本体３に取り付けられる。
【００２７】
すなわち、この取り付けに必要な保持荷重（垂直保持荷重）をクリップ１によって得ることができる。また、このボックス本体３に取り付けられたクリップ本体１０を垂直保持荷重に抗して取付孔３０から引き抜くと（クリップ本体１０に抜去荷重を作用させると）、このボックス本体３から側面パネル２を取り外すことができる。このようにしてコンソールボックスのボックス本体３に側面パネル２を取り付けたり取り外したりできる（着脱できる）。
【００２８】
本発明の実施例１に係るクリップ１は、上述したように構成されている。この構成によれば、従来技術と同様に、クリップ１を介してコンソールボックスのボックス本体３に側面パネル２を取り付けたり取り外したりできる（着脱できる）。すなわち、従来技術と同様に、側面パネル２の取り付けに必要な保持荷重を得ることができる。また、この構成によれば、従来技術とは異なり、係止部１６ａには、クリップ本体１０に作用する斜め抜去荷重に対する保持力を従来技術のそれより増加させる係止面１６ｂが形成されている。そのため、クリップ１を介してコンソールボックスのボックス本体３に側面パネル２を取り付けた状態において、斜め抜去荷重が作用した側面パネル２をボックス本体３から取り外し難くできる。したがって、従来技術よりクリップ１の斜め保持荷重を高くできる（高い斜め保持荷重を得ることができる）。
【００２９】
また、この構成によれば、クリップ本体１０に対して斜め抜去荷重が作用したとき、ボックス本体３の取付孔３０の縁に係止する係止部１６ａの係止面１６ｂの傾斜角度（クリップ本体１０の軸方向（長手方向）に対する係止部１６ａの係止面１６ｂの傾斜角度）を急なもの（例えば、約７０°）にすると、従来技術よりクリップ１の斜め保持荷重を高くできる（高い斜め保持荷重を得ることができる）。したがって、傾斜角度を調節することによって、必要とする斜め保持荷重を得ることができる。
【００３０】
（実施例２）
次に、本発明の実施例２を、図１０〜１７を用いて説明する。この実施例２のクリップ１０１は、既に説明した実施例１のクリップ１と比較すると、従来技術よりクリップ１０１の斜め保持荷重を低くできる形態となっている。なお、以下の説明にあたって、実施例１と同一または均等な構成の部材には、図面において同一符号を付すことで重複する説明は省略することとする。これらのことは、後述する実施例３および変形例においても同様である。
【００３１】
クリップ１０１は、クリップ１と同様に、主として、湾曲して形成された頭部１２と、この頭部１２から連続する一対の内脚１４と、この頭部１２から連続する一対の外脚１６とから剛性を有する合成樹脂によって一体的に構成されている（図１０参照）。
【００３２】
また、この一対の外脚１６の係止部１６ａの外縁には、クリップ本体１０に作用する斜め抜去荷重に対する保持力を従来技術のそれより減少させる係止面１１６ｂが係止面１６ｂに代わって形成されている（図１０〜１３参照）。なお、クリップ本体１０に対して斜め抜去荷重が作用したとき、ボックス本体３の取付孔３０の縁に係止する係止部１６ａの係止面１１６ｂの傾斜角度（クリップ本体１０の軸方向（長手方向）に対する係止部１６ａの係止面１１６ｂの傾斜角度）は、例えば、約３５°となっており、緩やかなものとなっている（図１６〜１７参照）。クリップ１０１は、このように構成されている。
【００３３】
本発明の実施例２に係るクリップ１０１は、上述したように構成されている。この構成によれば、実施例１と同様に、図１４〜１５に示すように、クリップ１０１を介してコンソールボックスのボックス本体３に側面パネル２を取り付けたり取り外したりできる（着脱できる）。すなわち、実施例１と同様に、側面パネル２の取り付けに必要な保持荷重を得ることができる。また、この構成によれば、従来技術や実施例１とは異なり、係止部１６ａには、クリップ本体１０に作用する斜め抜去荷重に対する保持力を従来技術のそれより減少させる係止面１１６ｂが形成されている。そのため、クリップ１を介してコンソールボックスのボックス本体３に側面パネル２を取り付けた状態において、斜め抜去荷重が作用した側面パネル２をボックス本体３から取り易く難くできる。したがって、従来技術よりクリップ１の斜め保持荷重を低くできる（低い斜め保持荷重を得ることができる）。
【００３４】
また、この構成によれば、クリップ本体１０に対して斜め抜去荷重が作用したとき、ボックス本体３の取付孔３０の縁に係止する係止部１６ａの係止面１６ｂの傾斜角度（クリップ本体１０の軸方向（長手方向）に対する係止部１６ａの係止面１６ｂの傾斜角度）を緩やかなもの（例えば、約３５°）にすると、従来技術よりクリップ１の斜め保持荷重を低くできる（低い斜め保持荷重を得ることができる）。したがって、傾斜角度を調節することによって、必要とする斜め保持荷重を得ることができる。
【００３５】
（実施例３）
次に、本発明の実施例３を、図１８〜２３を用いて説明する。この実施例３のクリップ２０１は、既に説明した実施例１のクリップ１と比較すると、クリップ本体１０に作用する垂直抜去荷重に対する保持力が最大になるときでも、ボックス本体３の取付孔３０の縁に生じるダメージを抑えることができる形態となっている。
【００３６】
クリップ２０１は、クリップ１と同様に、主として、湾曲して形成された頭部１２と、この頭部１２から連続する一対の内脚１４と、この頭部１２から連続する一対の外脚１６とから剛性を有する合成樹脂によって一体的に構成されている（図１８参照）。また、この一対の外脚１６の係止部１６ａの外縁１６ａ１には、クリップ１と同様に、クリップ本体１０に作用する斜め抜去荷重に対する保持力を従来技術のそれより増加させる係止面２１６ｂが形成されている（図１８〜２１参照）。
【００３７】
この係止面２１６ｂは、係止脚１６の係止部１６ａがボックス本体３の取付孔３０の縁に係止した状態（図２２に示す状態）において、クリップ本体１０に作用する垂直抜去荷重に対する保持力が最大になるとき、係止部１６ａの幅の全て（図２１におけるＷ）がボックス本体３の取付孔３０の縁に干渉するように形成されている（図２１参照）。この図２１における（１）〜（３）の高さ位置は、係止脚１６の係止部１６ａに対するボックス本体３の取付孔３０の縁の高さ位置を示している。
【００３８】
この（１）の高さ位置は、ボックス本体３の取付孔３０の縁が係止脚１６の係止部１６ａに係止した状態を示している。この（１）の高さ位置における保持力が、図２３における（１）で示されている。
【００３９】
また、この（２）の高さ位置は、（１）の高さ位置から、クリップ本体１０に垂直抜去荷重を作用させて、係止脚１６の係止部１６ａに対してボックス本体３の取付孔３０の縁を相対的に移動させた状態を示している。この（２）の高さ位置における保持力が、図２３における（２）で示されている。この（２）の高さ位置では、係止部１６ａの幅の略半分（図２１におけるＨ）がボックス本体３の取付孔３０の縁に干渉することとなっている。
【００４０】
そのため、この（２）の高さ位置では、このボックス本体３の取付孔３０の縁に対する係止部１６ａの干渉面積が狭くなっている。したがって、この干渉の圧力が高まることとなっている。また、この（２）の高さ位置にボックス本体３の取付孔３０の縁が到達すると、「キック始まり」の状態となる。この状態になると、保持力が高いため、以降、この垂直抜去荷重の増加にともなって、ボックス本体３の取付孔３０の縁にダメージが生じ始めることとなる。
【００４１】
また、この（３）の高さ位置は、（２）の高さ位置から、さらに、クリップ本体１０に垂直抜去荷重を作用させて、ボックス本体３の取付孔３０の縁が係止脚１６の張り出しを乗り越える直前の状態（後述する、「キック終わり」の状態）を示している。この（３）の高さ位置における保持力が、図２３における（３）で示されている。この（３）の高さ位置では、係止部１６ａの幅の全て（図２１におけるＷ）がボックス本体３の取付孔３０の縁に干渉することとなっている。
【００４２】
そのため、この（３）の高さ位置では、このボックス本体３の取付孔３０の縁に対する係止部１６ａの干渉面積が広くなっている。したがって、この干渉の圧力が弱まることとなっている。なお、図２１から明らかなように、上述した（２）の高さ位置から（３）の高さ位置に向けて進むにつれて、このボックス本体３の取付孔３０の縁に対する係止部１６ａの干渉面積が徐々に広くなっている。したがって、この干渉の圧力が徐々に弱まることとなっている。
【００４３】
また、この（３）の高さ位置にボックス本体３の取付孔３０の縁が到達すると、「キック終わり」の状態となる。この状態になると、保持力が最大となるため、この垂直抜去荷重の増加によるボックス本体３の取付孔３０の縁に生じるダメージが最大となる。しかし、上述したように、この（３）の高さ位置では、干渉の圧力が弱まることとなっているため、クリップ本体１０に作用する垂直抜去荷重に対する保持力が最大になるときでも、ボックス本体３の取付孔３０の縁に生じるダメージを抑えることができる。
【００４４】
また、この係止部１６ａの外縁１６ａ１には、係止面２１６ｂに隣り合うように逃がし面２１６ｃが形成されている。このように逃がし面２１６ｃを形成することにより、係止面２１６ｂを形成できる。なお、これら係止面２１６ｂと逃がし面２１６ｃとは、略三角形状を成すようにそれぞれ形成されている。この逃がし面２１６ｃは、係止面２１６ｂに対して非対向するように形成されている（図２０〜２１参照）。すなわち、係止脚１６の係止部１６ａの外縁１６ａ１は、係止面２１６ｂを形成する略三角形状の一辺２１６ａ１と、逃がし面２１６ｃを形成する略三角形状の一辺２１６ｃ１とを兼ねるように形成されている。クリップ２０１は、このように構成されている。
【００４５】
本発明の実施例３に係るクリップ２０１は、上述したように構成されている。この構成によれば、実施例１と同様の作用効果を得ることができる。また、クリップ本体１０に作用する垂直抜去荷重に対する保持力が最大になるときでも、ボックス本体３の取付孔３０の縁に生じるダメージを抑えることができる。
【００４６】
また、この構成によれば、係止部１６ａの外縁１６ａ１には、係止面２１６ｂに隣り合うように逃がし面２１６ｃが形成されている。これら係止面２１６ｂと逃がし面２１６ｃとは、略三角形状を成すようにそれぞれ形成されている。そして、係止脚１６の係止部１６ａの外縁１６ａ１は、係止面２１６ｂを形成する略三角形状の一辺２１６ａ１と、逃がし面２１６ｃを形成する略三角形状の一辺２１６ｃ１とを兼ねるように形成されている。そのため、実施例１と比較すると、係止面２１６ｂの面積を広く設定できる。したがって、ボックス本体３の取付孔３０の縁に対する掛かり代を広く確保できる。
【００４７】
上述した内容は、あくまでも本発明の一実施の形態に関するものであって、本発明が上記内容に限定されることを意味するものではない。
【００４８】
各実施例では、『相手パネル』の例として、『コンソールボックスのボックス本体３』を説明した。また、『取付部材』の例として、『側面パネル２』を説明した。しかし、これに限定されるものでなく、『相手パネル』が『インストルメントパネル等、各種のパネル部材』であっても構わない。また、『取付部材』が『センタークラスタ等、各種の内装部材』であっても構わない。
【００４９】
また、各実施例では、内脚１４と外脚１６とは、正面視において、パンタグラフ状に形成されている形態を説明した。しかし、これに限定されるものでなく、内脚１４は、頭部１２から連続する格好を成すように形成されていなくても構わない。すなわち、内脚１４は、その頭部１２側のみが外脚１６と繋がっている形態でも構わない。
【００５０】
また、各実施例では、一対の外脚１６の係止部１６ａの外側に係止面１６ｂ、１１６ｂが形成されている形態を説明した。すなわち、クリップ１、１０１には、係止面１６ｂ、１１６ｂが４か所形成されている形態を説明した。しかし、これに限定されるものでなく、クリップ１、１０１、２０１には、係止面１６ｂ、１１６ｂ、２１６ｂが少なくとも１か所形成されている形態でも構わない。
【００５１】
また、各実施例において記した各種の数値は、これに限定されるものでなく、発明を成し得る範囲であれば、変更しても構わない。
【００５２】
また、実施例１において、クリップ１の長手方向において、外脚１６の途中部位が繋がっていても構わない（変形例）。すなわち、外脚１６には、互いを繋ぐ連結部３１６が設けられていても構わない。その場合、クリップ３０１は、例えば、図２４〜２７に示されるものとなる。このように連結部３１６が設けられていると、外脚１６が撓み難くなるため、クリップ３０１の垂直保持荷重や斜め保持荷重を高めることができる。もちろん、実施例２〜３において、外脚１６には、互いを繋ぐ連結部３１６が設けられていても構わない。
【符号の説明】
【００５３】
１        クリップ（実施例１）
２        側面パネル（取付部材）
３        ボックス本体（相手パネル）
１０      クリップ本体
１６      外脚（係止脚）
１６ａ    係止部
１６ｂ    係止面
１６ｃ    逃がし面
３０      取付孔
２０１    クリップ（実施例３）
２１６ｂ  係止面
２１６ｃ  逃がし面
【図１】
2018105499.tif 000003
【図２】
2018105499.tif 000004
【図３】
2018105499.tif 000005
【図４】
2018105499.tif 000006
【図５】
2018105499.tif 000007
【図６】
2018105499.tif 000008
【図７】
2018105499.tif 000009
【図８】
2018105499.tif 000010
【図９】
2018105499.tif 000011
【図１０】
2018105499.tif 000012
【図１１】
2018105499.tif 000013
【図１２】
2018105499.tif 000014
【図１３】
2018105499.tif 000015
【図１４】
2018105499.tif 000016
【図１５】
2018105499.tif 000017
【図１６】
2018105499.tif 000018
【図１７】
2018105499.tif 000019
【図１８】
2018105499.tif 000020
【図１９】
2018105499.tif 000021
【図２０】
2018105499.tif 000022
【図２１】
2018105499.tif 000023
【図２２】
2018105499.tif 000024
【図２３】
2018105499.tif 000025
【図２４】
2018105499.tif 000026
【図２５】
2018105499.tif 000027
【図２６】
2018105499.tif 000028
【図２７】
2018105499.tif 000029
【図２８】
2018105499.tif 000030
【図２９】
2018105499.tif 000031
【図３０】
2018105499.tif 000032
【図３１】
2018105499.tif 000033
【図３２】
2018105499.tif 000034
【図３３】
2018105499.tif 000035
【図３４】
2018105499.tif 000036
【図３５】
2018105499.tif 000037